【手続補正書】
【提出日】平成17年10月13日(2005.10.13)
【手続補正１】
【補正対象書類名】明細書
【補正対象項目名】特許請求の範囲
【補正方法】変更
【補正の内容】
【特許請求の範囲】
【請求項１】  式：
【化１】
2003201410.tif 000001
｛式中、Ｒは水素又はメチルであり、ｎは２〜３であり、且つＱは有機基１〜９：
【化２】
2003201410.tif 000002
［式中、
Ｒ1は水素又はＣ1〜Ｃ6−アルキルから選ばれ；
Ｒ2は水素；Ｃ1〜Ｃ6−アルキル；フェニル；Ｃ1〜Ｃ6−アルキル、Ｃ1〜Ｃ6−アルコキシ、−Ｎ（Ｃ1〜Ｃ6−アルキル）2、ニトロ、シアノ、Ｃ2〜Ｃ6−アルコキシカルボニル、Ｃ2〜Ｃ6−アルカノイルオキシ及びハロゲンから選ばれた１個又はそれ以上の基で置換されたフェニル；１−及び２−ナフチル；Ｃ1〜Ｃ6−アルキルもしくはＣ1〜Ｃ6−アルコキシで置換された１−及び２−ナフチル；２−及び３−チエニル；Ｃ1〜Ｃ6−アルキルもしくはハロゲンで置換された２−及び３−チエニル；２−及び３−フリル；並びにＣ1〜Ｃ6−アルキルで置換された２−及び３−フリルから選ばれ；
Ｒ3及びＲ4は、独立して、水素、Ｃ1〜Ｃ6−アルキル、置換Ｃ1〜Ｃ6−アルキル及びアリールから選ばれるか、又はＲ3及びＲ4が一緒になって−（ＣＨ2−）3~5−基を表すことができ；
Ｒ5は、水素又はＣ1〜Ｃ6−アルキル、置換Ｃ1〜Ｃ6−アルキル、Ｃ3〜Ｃ8−アルケニル、Ｃ3〜Ｃ8−シクロアルキル及びアリールから選ばれた基から選ばれ；且つ
Ｒ6は水素、Ｃ1〜Ｃ6−アルキル及びアリールから選ばれる］から選ばれる光重合性基である｝を有するアントラキノン着色剤化合物。
【請求項２】  Ｑが式−ＣＯＣ（Ｒ1）＝ＣＨ2又は式：
【化３】
2003201410.tif 000003
［式中、Ｒ1は水素又はメチルである］を有する基である請求項１に記載のアントラキノン着色剤化合物。
【請求項３】  式：
【化４】
2003201410.tif 000004
を有する請求項１に記載のアントラキノン化合物。
【請求項４】  式：
【化５】
2003201410.tif 000005
を有する請求項１に記載のアントラキノン化合物。
【請求項５】  式：
【化６】
2003201410.tif 000006
［式中、ｎは２又は３である］を有する請求項１に記載のアントラキノン化合物。
【請求項６】  式：
【化７】
2003201410.tif 000007
を有する請求項１に記載のアントラキノン化合物。
【請求項７】  （ｉ）１種又はそれ以上の重合性ビニル化合物、（ｉｉ）１種又はそれ以上の請求項１に記載の着色剤化合物及び（ｉｉｉ）少なくとも１種の光開始剤を含んでなる被覆組成物。
【請求項８】  （ｉ）１種又はそれ以上の重合性ビニル化合物、（ｉｉ）成分（ｉ）の重量に基づき０．０５〜１５重量％の濃度で存在する１種又はそれ以上の請求項１に記載の着色剤化合物及び（ｉｉｉ）被覆組成物中に存在する重合性ビニル化合物の重量に基づき１〜１５重量％の濃度で存在する光開始剤を含む請求項７に記載の被覆組成物。
【請求項９】  前記重合性ビニル化合物が、アクリル化及びメタクリル化ポリエステル、アクリル化及びメタクリル化ポリエーテル、アクリル化及びメタクリル化エポキシポリマー、アクリル化及びメタクリル化ウレタン並びにこれらの混合物から選ばれたポリマーである重合性ビニル化合物の、モノマーアクリル酸及びメタクリル酸エステルから選ばれた希釈剤中の溶液を含む請求項８に記載の被覆組成物。
【請求項１０】  式：
【化８】
2003201410.tif 000008
｛式中、Ｒは水素又はメチルであり、ｎは２〜３であり、且つＱは以下の有機基１〜９：
【化９】
2003201410.tif 000009
［式中、
Ｒ1は水素又はＣ1〜Ｃ6−アルキルから選ばれ；
Ｒ2は水素；Ｃ1〜Ｃ6−アルキル；フェニル；Ｃ1〜Ｃ6−アルキル、Ｃ1〜Ｃ6−アルコキシ、−Ｎ（Ｃ1〜Ｃ6−アルキル）2、ニトロ、シアノ、Ｃ2〜Ｃ6−アルコキシカルボニル、Ｃ2〜Ｃ6−アルカノイルオキシ及びハロゲンから選ばれた１個又はそれ以上の基で置換されたフェニル；１−及び２−ナフチル；Ｃ1〜Ｃ6−アルキルもしくはＣ1〜Ｃ6−アルコキシで置換された１−及び２−ナフチル；２−及び３−チエニル；Ｃ1〜Ｃ6−アルキルもしくはハロゲンで置換された２−及び３−チエニル；２−及び３−フリル；並びにＣ1〜Ｃ6−アルキルで置換された２−及び３−フリルから選ばれ；
Ｒ3及びＲ4は、独立して、水素、Ｃ1〜Ｃ6−アルキル、置換Ｃ1〜Ｃ6−アルキル及びアリールから選ばれるか、又はＲ3及びＲ4が一緒になって−（ＣＨ2−）3~5−基を表すことができ；
Ｒ5は、水素又はＣ1〜Ｃ6−アルキル、置換Ｃ1〜Ｃ6−アルキル、Ｃ3〜Ｃ8−アルケニル、Ｃ3〜Ｃ8−シクロアルキル及びアリールから選ばれた基から選ばれ；且つ
Ｒ6は水素、Ｃ1〜Ｃ6−アルキル及びアリールから選ばれる］から選ばれる光重合性基である｝を有する１種もしくはそれ以上の着色剤化合物が共重合された、１種もしくはそれ以上のアクリル酸エステル、１種もしくはそれ以上のメタクリル酸エステル及び／又は他の共重合性ビニル化合物のポリマーを含む請求項７に記載のポリマー被覆組成物。
【請求項１１】  請求項１０に定義された１種又はそれ以上の着色剤化合物が共重合された、１種もしくはそれ以上のアクリル酸エステル、１種もしくはそれ以上のメタクリル酸エステル又はそれらの混合物のアクリルポリマーの被覆を含む請求項１０に記載のポリマー組成物。
【請求項１２】  請求項１０に定義された１種もしくはそれ以上の着色剤化合通が共重合された、１種もしくはそれ以上のマレエート／フマレート残基を含む不飽和ポリエステル；１種もしくはそれ以上のビニルエーテル基、１種もしくはそれ以上のビニルエステル基又はそれらの組み合わせを含む１種もしくはそれ以上のモノマー及び場合によっては１種もしくはそれ以上のアクリル酸もしくはメタクリル酸エステル；又はそれらの混合物の被覆を含む請求項１０に記載のポリマー組成物。
【請求項１３】  被覆の重量に基づき０．０５〜１５．０重量％の、請求項１０に記載の１種又はそれ以上の着色剤化合物の残基を含む、請求項１２に記載のポリマー被覆。
【手続補正２】
【補正対象書類名】明細書
【補正対象項目名】００３１
【補正方法】変更
【補正の内容】
【００３１】
本発明の被覆組成物は、式Ｉの１種又はそれ以上の反応性アントラキノン着色剤化合物を含む。１種又はそれ以上の着色剤化合物の濃度は、被覆組成物中に存在する１種又はそれ以上の重合性ビニル化合物、即ち、被覆組成物の成分（ｉ）の重量に基づき０．００５〜３０．０重量％、好ましくは０．０５〜１５．０重量％であることができる。本発明の被覆組成物は通常、光開始剤を含む。光開始剤の量は通常、被覆組成物中に存在する１種又はそれ以上の重合性ビニル化合物の重量に基づき１〜１５重量％、好ましくは３〜５重量％である。代表的な光開始剤としては以下のものが挙げられる：ベンゾイン及びベンゾインエーテル、例えばＦｒａｔｅｌｌｉ  Ｌａｍｂｅｒｔｉから商品名ＥＳＡＣＵＲＥ  ＢＯ、ＥＢ１，ＥＢ３及びＥＢ４として、ＳｔａｕｆｆｅｒからＶＩＣＵＲＥ  １０及び３０として市販されているもの；ベンジルケタール、例えばＣｉｂａ  Ｇｅｉｇｙからの２，２−ジメトキシ−１，２−ジフェニルエタン−１−オン（ＩＲＧＡＣＵＲＥ  ６５１）、２−ヒドロキシ−２−メチル−１−フェニルプロパン−１−オン（ＩＲＧＡＣＵＲＥ  １１７３）、２−メチル−２−モルホリノ−１−（ｐ−メチルチオフェニル）プロパン−１−オン（ＩＲＧＡＣＵＲＥ  ９０７）、α−ヒドロキシアルキルフェノン、例えば（１−ヒドロキシシクロヘキシル）（フェニル）メタノン（ＩＲＧＡＣＵＲＥ  １８４）、２−ベンジル−２−（ジメチルアミノ）−１−（４−モルホリノフェニル）ブタン−１−オン（ＩＲＧＡＣＵＲＥ  ３６９）、２−ヒドロキシ−２−メチル−１−フェニルプロパン−１−オン（ＩＲＧＡＣＵＲＥ  １１７３）、ＵｐｊｏｈｎからのＵｖａｔｏｎｅ  ８３０２；α，α−ジアルコキシアセトフェノン誘導体、例えばＵｐｊｏｈｎからのＤＥＡＰ及びＵＶＡＴＯＮＥ  ８３０１；ＭｅｒｃｋによるＤＡＲＯＣＵＲ  １１６、１１７３及び２９５９；並びにベンゾフェノンと第三アミンとの混合物。着色被覆組成物中において、硬化速度は、種々の酸化ホスフィン光開始剤、例えば、ビス（２，４，６−トリメチルベンゾイル）フェニルホスフィンオキシド（Ｉｒｇａｎｏｘ  ８１９）、Ｉｒｇａｃｕｒｅ  ８１９及び１７００並びに酸化ホスフィン混合物、例えばＣｉｂａからのＩＲＧＡＣＵＲＥ  １１７３と２，４，６−トリメチルベンゾイルジフェニルホスフィンオキシド（ＤＡＲＯＣＵＲ  ４２６５）との重量比５０／５０の混合物の添加によって改良できる。このような光開始剤及び硬化方法に関する更なる詳細は、米国特許第５，１０９，０９７号（この特許を参照することによって本願明細書中に取り入れる）のような、公表された文献に記載されている。被膜（フィルム）の厚さ、生成物の配合、光開始剤の型、輻射束及び輻射線源に応じて、硬化に必要な紫外線暴露時間は通常、約０．５秒〜約３０分（５０〜５０００ｍＪ／ｃｍ2）である。硬化はまた、太陽輻射、即ち直射日光によっても起こり得る。